(57)【要約】【課題】ホッパ部に落下された投射材を効率よく吸引する。【解決手段】ショットブラスト装置１０では、吸引パイプ５４にパイプカバー６０が設けられており、吸引パイプ５４の下端部がパイプカバー６０によって覆われている。これにより、吸引パイプ５４の吸引口５４Ａがパイプカバー６０の内側に配置されて、ホッパ部１６内における吸引パイプ５４の下端部に落下した投射材が、パイプカバー６０の外側へ落下される。このため、吸引パイプ５４の吸引口５４Ａの周囲に投射材が溜まることが抑制されるため、吸引口５４Ａが投射材によって塞がれることを抑制できる。したがって、投射材を吸引する吸引パイプ５４の吸引効率の低下が抑制されて、ホッパ部１６に落下された投射材を効率よく吸引できる。【選択図】図１
2014027575.tif 000002
【特許請求の範囲】
【請求項１】
被処理対象物が搬入される投射室と、前記投射室の下方に配置されたホッパ部と、が内部に設けられたキャビネットと、
前記キャビネットの上部に設けられると共に、インペラが回転されることで投射材を前記被処理対象物へ向けて投射する投射装置と、
前記ホッパ部内と前記投射装置とを連結し、前記ホッパ部に落下された前記投射材を吸引口から吸引して前記投射装置へ供給するパイプと、
前記パイプの長手方向を軸方向とした筒状を成すと共に、内側に前記パイプが配置された状態で前記パイプの下端部に取り付けられたカバーと、
を備えたショット処理装置。
【請求項２】
前記パイプの断面積が前記吸引口へ向かうに従い大きく設定されると共に、前記カバーの断面積が下側へ向かうに従い大きく設定された請求項１に記載のショット処理装置。
【請求項３】
前記カバーを前記パイプの長手方向に沿って移動可能に前記パイプに連結させる連結機構を備えた請求項１又は請求項２に記載のショット処理装置。
【請求項４】
前記パイプは、前記キャビネットの内部に設けられると共に、側面視で上下方向に対して斜めに配置された請求項１〜請求項３の何れか一項に記載のショット処理装置。
【請求項５】
前記パイプの下端部が前記投射装置の真下に配置されると共に、前記パイプの上端部が前記投射装置側へ向けて屈曲された請求項４に記載のショット処理装置。
【請求項６】
前記キャビネットに設けられ、前記投射室内の空気を吸引して当該空気中に含まれる前記投射材以外の異物等を分離除去すると共に、当該異物が除去された空気を前記投射室へ供給する循環経路部が形成された集塵機を備えた請求項１〜請求項５の何れか一項に記載のショット処理装置。
【請求項７】
前記循環経路部は、前記キャビネットの後側部分に複数設けられると共に、前記キャビネットの幅方向に並んで配置された請求項６に記載のショット処理装置。
【請求項８】
前記パイプに連結されて前記パイプ内の投射材に帯電防止液を噴霧するノズルと、前記帯電防止液が貯水されたタンクと、前記ノズルと前記タンクとを連通させる配管と、を含んで構成された帯電防止装置を備えた請求項１〜請求項７の何れか一項に記載のショット処理装置。
【請求項９】
前記タンクが前記キャビネットの後側に配置されると共に、前記パイプの上部が前記キャビネットの後壁に隣接して配置され、
当該上部に前記ノズルが連結された請求項８に記載のショット処理装置。
【請求項１０】
前記投射室内に設けられ、回転されることで前記被処理対象物を攪拌させる攪拌ベルトを含んで構成されたエプロンと、
前記インペラを回転駆動させるインペラ駆動部及び前記攪拌ベルトを回転駆動させるベルト駆動部に接続されて、これらを駆動制御する制御部と、
を備え、
前記インペラ駆動部、前記ベルト駆動部、及び前記制御部が前記キャビネットの上部に配置された請求項１〜請求項９の何れか一項に記載のショット処理装置。
【発明の詳細な説明】
【技術分野】
【０００１】
本発明は、被処理対象物に投射材を投射させて被処理対象物の表面を加工するショット処理装置に関する。
【背景技術】
【０００２】
ショットブラスト機（ショット処理装置）には、インペラの回転によって投射材を被処理対象物に投射させるものがある（例えば、下記特許文献１参照）。このショットブラスト機では、インペラが内蔵された羽根室と、キャビネットの貯槽（ホッパ部）内と、が吸引管によって連結されており、貯槽に落下された投射材が吸引管を介して羽根室へ供給される。
【先行技術文献】
【特許文献】
【０００３】
【特許文献１】実開昭６３−８３２６８号公報
【発明の概要】
【発明が解決しようとする課題】
【０００４】
しかしながら、このショットブラスト機では、仮にキャビネットの貯槽に溜まった投射材によって吸引管の吸引口が塞がれると、吸引口から投射材が効率よく吸引されない可能性がある。このため、ショットブラスト機において、貯槽に落下された投射材を効率よく吸引する点において改善の余地がある。【０００５】
本発明は、上記事実を考慮し、ホッパ部に落下された投射材を効率よく吸引できるショット処理装置を提供することを目的とする。
【課題を解決するための手段】
【０００６】
請求項１に記載のショット処理装置は、被処理対象物が搬入される投射室と、前記投射室の下方に配置されたホッパ部と、が内部に設けられたキャビネットと、前記キャビネットの上部に設けられると共に、インペラが回転されることで投射材を前記被処理対象物へ向けて投射する投射装置と、前記ホッパ部内と前記投射装置とを連結し、前記ホッパ部に落下された前記投射材を吸引口から吸引して前記投射装置へ供給するパイプと、前記パイプの長手方向を軸方向とした筒状を成すと共に、内側に前記パイプが配置された状態で前記パイプの下端部に取り付けられたカバーと、を備えている。【０００７】
請求項１に記載のショット処理装置では、キャビネットの内部に投射室及びホッパ部が設けられており、ホッパ部は投射室の下方に配置されている。そして、キャビネットの上部に設けられた投射装置のインペラが回転されることで、投射材に回転遠心力が付与されて、投射材が被処理対象物へ向けて投射される。【０００８】
さらに、ホッパ部と投射装置とは、パイプによって連結されており、ホッパ部に落下された投射材が、パイプの吸引口から吸引されて投射装置へ供給される。【０００９】
ここで、パイプの下端部には、カバーが取付けられている。このカバーは、パイプの長手方向を軸方向とした筒状を成しており、カバーの内側にパイプが配置されている。これにより、パイプの下端部に落下された投射材がカバーの外周面に当たることで、当該投射材がカバーの外側へ落下される。このため、ハイプの吸引口の周囲に投射材が溜まることが抑制されるため、ハイプの吸引口が投射材によって塞がれることを抑制できる。したがって、投射材を吸引するパイプの吸引効率の低下が抑制されて、ホッパ部に落下された投射材を効率よく吸引できる。【００１０】
請求項２に記載のショット処理装置は、請求項１に記載のショット処理装置において、前記パイプの断面積が前記吸引口へ向かうに従い大きく設定されると共に、前記カバーの断面積が下側へ向かうに従い大きく設定されている。【００１１】
請求項２に記載のショット処理装置では、パイプの断面積が吸引口へ向かうに従い大きく設定されているため、パイプの吸引口における断面積を大きくできる。これにより、パイプの吸引力を大きくできる。また、カバーの断面積がカバーの下側へ向かうに従い大きく設定されている。これにより、例えば、パイプの下端部の形状に対応してカバーの径を下側へ向かうに従い大きく設定できる。したがって、パイプの吸引口における断面積を大きくしても、パイプとカバーとの間の距離が確保されて、吸引口の周囲における投射材の溜まりの抑制効果を維持できる。【００１２】
請求項３に記載のショット処理装置は、請求項１又は請求項２に記載のショット処理装置において、前記カバーを前記パイプの長手方向に沿って移動可能に前記パイプに連結させる連結機構を備えている。【００１３】
請求項３に記載のショット処理装置では、連結機構によって、カバーがパイプの長手方向に沿って移動可能にパイプに連結されているため、ホッパ部における投射材の溜まり方に応じてパイプに対するカバーの位置を調整できる。したがって、ホッパ部に落下された投射材を一層効率よく吸引できる。【００１４】
請求項４に記載のショット処理装置は、請求項１〜請求項３の何れか一項に記載のショット処理装置において、前記パイプは、前記キャビネットの内部に設けられると共に、側面視で上下方向に対して斜めに配置されている。【００１５】
請求項４に記載のショット処理装置では、パイプが、キャビネットの内部に設けられると共に、側面視で上下方向に対して斜めに配置されている。これにより、例えば、パイプをキャビネットの外側に配置する場合に比して、パイプの長さを短く設定できる。【００１６】
請求項５に記載のショット処理装置は、請求項４に記載のショット処理装置において、前記パイプの下端部が前記投射装置の真下に配置されると共に、前記パイプの上端部が前記投射装置側へ向けて屈曲されている。【００１７】
請求項５に記載のショット処理装置では、パイプの下端部が投射装置の真下に配置されているため、ホッパ部において、投射装置から投射された投射材が主にパイプの下端部に落下される。これにより、投射材を吸引するパイプの吸引効率を一層高くできる。また、パイプの上端部が投射装置側へ向けて屈曲されているため屈曲管を用いず、水平・垂直管のみで繋いだパイプに比べてパイプの長さを短く設定できる。【００１８】
請求項６に記載のショット処理装置は、請求項１〜請求項５の何れか一項に記載のショット処理装置において、前記キャビネットに設けられ、前記投射室内の空気を吸引して当該空気中に含まれる前記投射材以外の異物等を分離除去すると共に、当該異物が除去された空気を前記投射室へ供給する循環経路部が形成された集塵機を備えている。【００１９】
請求項６に記載のショット処理装置では、キャビネットに集塵機が設けられている。そして、集塵機によって、投射室内の空気が吸引されて、当該空気中に含まれる投射材以外の異物等が分離除去される。さらに、集塵機に形成された循環経路部によって、異物が除去された空気が投射室へ供給される。このため、外気を投射室内へ導入することなく、投射室内の空気をろ過して、当該ろ過された空気を再び投射室内へ供給できる。これにより、ショット処理装置をシンプルな構成にできる。すなわち、仮に外気を投射室内へ導入する場合には、ろ過された空気をキャビネット外へ排出するための排気ダクト等が必要になるが、外気を投射室内へ導入しない構成にすることによって、排気ダクト等を設ける必要がなくなる。【００２０】
請求項７に記載のショット処理装置は、請求項６に記載のショット処理装置において、前記循環経路部は、前記キャビネットの後側部分に複数設けられると共に、前記キャビネットの幅方向に並んで配置されている。【００２１】
請求項７に記載のショット処理装置では、循環経路部は、キャビネットの後側部分に複数設けられると共に、キャビネットの幅方向に並んで配置されているため、循環経路部のキャビネットからの突出が抑制されて、ショット処理装置の見栄えを向上できる。【００２２】
請求項８に記載のショット処理装置は、請求項１〜請求項７の何れか一項に記載のショット処理装置において、前記パイプに連結されて前記パイプ内の投射材に帯電防止液を噴霧するノズルと、前記帯電防止液が貯水されたタンクと、前記ノズルと前記タンクとを連通させる配管と、を含んで構成された帯電防止装置を備えている。【００２３】
請求項８に記載のショット処理装置では、帯電防止装置を備えており、帯電防止装置は、パイプに連結されたノズルと、帯電防止液が貯水されたタンクと、ノズルとタンクとを連結する配管と、を含んで構成されている。そして、配管を介してノズルに帯電防止液が供給されて、帯電防止液がパイプ内の投射材に噴霧される。このため、例えば、投射材が樹脂製にされた場合には、投射材が帯電されることを抑制できる。したがって、パイプ内の投射材を良好に循環させることができる。【００２４】
請求項９に記載のショット処理装置は、請求項８に記載のショット処理装置において、前記タンクが前記キャビネットの後側に配置されると共に、前記パイプの上部が前記キャビネットの後壁に隣接して配置され、当該上部に前記ノズルが連結されている。【００２５】
請求項９に記載のショット処理装置では、タンクがキャビネットの後側に設けられており、パイプの上部がキャビネットの後壁に隣接して配置されている。そして、パイプの上部に帯電防止装置のノズルが連結されている。これにより、帯電防止装置における配管の長さを短く設定できる。【００２６】
請求項１０に記載のショット処理装置は、請求項１〜請求項９の何れか一項に記載のショット処理装置において、前記投射室内に設けられ、回転されることで前記被処理対象物を攪拌させる攪拌ベルトを含んで構成されたエプロンと、前記インペラを回転駆動させるインペラ駆動部及び前記攪拌ベルトを回転駆動させるベルト駆動部に接続されて、これらを駆動制御する制御部と、を備え、前記インペラ駆動部、前記ベルト駆動部、及び前記制御部が前記キャビネットの上部に配置されている。【００２７】
請求項１０に記載のショット処理装置では、投射室内にエプロンが設けられており、エプロンは攪拌ベルトを有している。そして、攪拌ベルトが回転されることで被処理対象物が攪拌される。また、ショット処理装置は制御部を備えており、制御部は、インペラを回転駆動させるインペラ駆動部と、攪拌ベルトを回転駆動させるベルト駆動部と、に接続されている。そして、インペラ駆動部、ベルト駆動部、及び制御部がキャビネットの上部に配置されている。これにより、例えば、インペラ駆動部及びベルト駆動部がキャビネットの側面から突出されることが抑制されるため、ショット処理装置の見栄えを一層向上できる。
【発明の効果】
【００２８】
請求項１に記載のショット処理装置によれば、ホッパ部に落下された投射材を効率よく吸引できる。【００２９】
請求項２に記載のショット処理装置によれば、パイプの吸引力を高くしつつ、吸引口の周囲における投射材の溜まりの抑制効果を維持できる。【００３０】
請求項３に記載のショット処理装置によれば、ホッパ部に落下された投射材を一層効率よく吸引できる。【００３１】
請求項４に記載のショット処理装置によれば、パイプをキャビネットの外側に配置する場合に比して、パイプの長さを短く設定できる。【００３２】
請求項５に記載のショット処理装置によれば、パイプの吸引効率を一層高くでき、パイプの長さを短く設定できる。【００３３】
請求項６に記載のショット処理装置によれば、ショット処理装置をシンプルな構成にできる。【００３４】
請求項７に記載のショット処理装置によれば、ショット処理装置の見栄えを向上できる。【００３５】
請求項８に記載のショット処理装置によれば、パイプ内の投射材を良好に循環させることができる。【００３６】
請求項９に記載のショット処理装置によれば、帯電防止装置における配管の長さを短く設定できる。【００３７】
請求項１０に記載のショット処理装置によれば、ショット処理装置の見栄えを一層向上できる。
【図面の簡単な説明】
【００３８】
【図１】（Ａ）は、第１の実施の形態に係るショットブラスト装置に用いられるパイプカバーが吸引パイプに連結された状態を示す一部破断された拡大断面図であり、（Ｂ）は（Ａ）に示される状態を（Ａ）の矢印１Ｂ方向から見た矢視図である。
【図２】第１の実施の形態に係るショットブラスト装置の全体を示す正面図である。
【図３】図２に示されるショットブラスト装置の全体を示す右側面図である。
【図４】図２に示されるショットブラスト装置の全体を示す平面図である。
【図５】図２に示されるショットブラスト装置に用いられるエプロンをショットブラスト装置の右方から透視した概略図である。
【図６】図５に示されるエプロンをショットブラスト装置の前方から透視した概略図である。
【図７】図２に示されるキャビネットの内部を示す側面図である。
【図８】図７に示される吸引パイプ及び帯電防止装置をショットブラスト装置の前側から透視した概略図である。
【図９】第１の実施の形態に係るショットブラスト装置に用いられる吸引パイプ及び帯電防止装置をショットブラスト装置の後側から透視した概略図である。
【図１０】図９に示される吸引パイプ及び帯電防止装置をショットブラスト装置の右方から透視した概略図である。
【図１１】第２の実施の形態に係るショットブラスト装置に用いられる集塵機を示す概略図である。
【発明を実施するための形態】
【００３９】
（第１の実施の形態）
【００４０】
本発明の第１の実施の形態に係る「ショット処理装置」としてのショットブラスト装置１０を図面に基づいて説明する。なお、図面に適宜示される矢印ＦＲはショットブラスト装置１０の前方を示し、矢印ＲＨはショットブラスト装置１０の右方を示し、矢印ＵＰはショットブラスト装置１０の上方を示す。
【００４１】
図２及び図３に示されるように、ショットブラスト装置１０は、キャビネット１２と、投射装置（投射ユニット）４６と、集塵機６８と、帯電防止装置７６（図３参照）と、制御部８６と、を含んで構成されている。
【００４２】
キャビネット１２は、略箱形状を成しており、キャビネット１２内には、「投射室」としてのエプロン室１４とホッパ部１６とが形成されている。エプロン室１４は、キャビネット１２の前壁に形成された開口部１８（図２参照）によって前側へ開放されている。そして、開口部１８は、ワーク搬入出扉２０によって閉塞されており、ワーク搬入出扉２０が開かれることで、開口部１８が開放されるようになっている。
【００４３】
ホッパ部１６はエプロン室１４の下方に配置されると共に、キャビネット１２の下部を構成している。このホッパ部１６とエプロン室１４との間には、振動式傾斜篩２２（図３参照）が設けられている。そして、後述する投射装置４６によって投射された投射材がホッパ部１６へ落下する際には、投射材と異物とが振動式傾斜篩２２によって分離されて、投射材のみがホッパ部１６へ落下するように構成されている。
【００４４】
また、図４にも示されるように、エプロン室１４の上側には、キャビネット１２の上部を構成する収容部２４が形成されており、この収容部２４内には、後述する投射装置４６等が収容されている。
【００４５】
図５及び図６に示されるように、キャビネット１２のエプロン室１４内には、エプロン２６が設けられている。このエプロン２６は、駆動ローラ２８と、一対の従動ローラ３０，３２と、一対のヘッドライナ３４と、「攪拌ベルト」としてのエプロンベルト３６と、を含んで構成されている。なお、図６では、説明の便宜上、キャビネット１２の左半分において、エプロンベルト３６及び従動ローラ３０が図示省略されており、キャビネット１２の右半分において、従動ローラ３２が図示省略されると共に、エプロンベルト３６の一部が図示省略されている。また、図６では、断面のハッチングが図示省略されている。
【００４６】
駆動ローラ２８は、略円筒状に形成される共に、軸方向をキャビネット１２の幅方向（左右方向）にして、キャビネット１２の両側壁にエプロン駆動軸３８（図６参照）を介して回転可能に軸支されている。この駆動ローラ２８の一端部は、「ベルト駆動部」としてのエプロン駆動モータ４０（図６参照）に連結されており、エプロン駆動モータ４０はキャビネット１２の収容部２４内に配置されている。そして、エプロン駆動モータ４０が駆動されることで、駆動ローラ２８が回転されるようになっている。
【００４７】
従動ローラ３０は、駆動ローラ２８の下側に配置されており、従動ローラ３２は、従動ローラ３０よりも前側に配置されている。また、これら従動ローラ３０，３２は、略円筒状に形成される共に、軸方向をキャビネット１２の幅方向にしてエプロン従動軸４２（図６参照）を介してキャビネット１２の両側壁に回転可能に軸支されている。
【００４８】
ヘッドライナ３４は、略円板状に形成されて、キャビネット１２の側壁にそれぞれ回転可能に軸支されている。また、ヘッドライナ３４は、側面視で駆動ローラ２８と従動ローラ３２との間に配置されており、ヘッドライナ３４の外径が、駆動ローラ２８及び従動ローラ３０，３２の外径に比して大きく設定されている。
【００４９】
エプロンベルト３６は無端状に形成されており、エプロンベルト３６には、複数の挿通孔３６Ａ（図６参照）が形成されている。このエプロンベルト３６は、駆動ローラ２８及び一対の従動ローラ３０，３２に掛け回されており、エプロンベルト３６の外周面にヘッドライナ３４の外周部が当接されている。これにより、エプロンベルト３６は、側面視で開口部１８側へ開放された略Ｌ字形状を成すと共に、エプロンベルト３６のヘッドライナ３４側の部分が、ヘッドライナ３４に沿って略半円形状に湾曲されており、このエプロンベルト３６における湾曲された部分が撹拌部４４とされている。
【００５０】
そして、撹拌部４４上に被処理対象物（ワーク）が配置されて、エプロン駆動モータ４０の駆動によってエプロンベルト３６が正転方向（図５の矢印Ａ方向）へ回転されることで、被処理対象物（ワーク）が撹拌部４４上で攪拌されるようになっている。一方、エプロン駆動モータ４０の駆動によってエプロンベルト３６が逆転方向（図５の矢印Ｂ方向）へ回転されることで、被処理対象物（ワーク）が開口部１８へ向けて搬送されるようになっている。
【００５１】
図７に示されるように、投射装置４６は、キャビネット１２の収容部２４内に収容されている。この投射装置４６は、遠心式の投射装置として構成されて、インペラ４８と、インペラ４８を収容する羽根室５０と、インペラ４８を回転させる「インペラ駆動部」としての投射駆動モータ５２と、を含んで構成されている。そして、投射駆動モータ５２が駆動されてインペラ４８が回転されることで、投射材（ショット、本実施形態では一例として樹脂製の球）に回転遠心力が付与されて、投射材が投射されるようになっている。これにより、エプロン２６の撹拌部４４上に配置された被処理対象物（ワーク）に投射材が投射されて、被処理対象物（ワーク）の表面が加工処理されるようになっている。
【００５２】
なお、投射装置４６によってエプロン室１４内に投射された投射材は、エプロンベルト３６（図７では不図示）の挿通孔３６Ａ内を挿通して、振動式傾斜篩２２を介してホッパ部１６に落下されるようなっている。
【００５３】
また、投射装置４６の羽根室５０とホッパ部１６との間には、「パイプ」としての吸引パイプ５４が設けられており、吸引パイプ５４は、断面円形のパイプ状を成している。この吸引パイプ５４の上端部は、コントロールゲージ５６を介して羽根室５０に結合されており、吸引パイプ５４の下端部は、ホッパ部１６内において、投射装置４６及びエプロン２６（図７では不図示）の真下に配置されている。これにより、羽根室５０内とホッパ部１６内とが吸引パイプ５４によって連結（連通）されている。そして、インペラ４８の回転による吸引力によって、ホッパ部１６に落下された投射材が吸引パイプ５４の吸引口５４Ａから吸引されて、当該投射材が投射装置４６へ供給されるようになっている。
【００５４】
さらに、吸引パイプ５４は、側面視で上側へ向かうに従い後側へ傾斜して配置されており、吸引パイプ５４の上部が、羽根室５０側へ湾曲されると共に、キャビネット１２の後壁に隣接して配置されている。
【００５５】
また、吸引パイプ５４の下端部における内径は、吸引口５４Ａ側（下側）へ向かうに従い拡径に設定されている。これにより、吸引パイプ５４の下端部では、断面積が吸引口５４Ａへ向かうに従い大きくなるように設定されている。さらに、図１（Ｂ）に示されるように、吸引パイプ５４の下端部には、後述するパイプカバー６０を取付けるための４つの連結棒５５が溶接等によって固定されており、連結棒５５は吸引パイプ５４の径方向外側へ突出されている。また、連結棒５５は吸引パイプ５４の長手方向に沿って一組一対の連結棒５５が、計２組設けられており、この一対の連結棒５５同士が吸引パイプ５４の周方向に離間して配置されている。
【００５６】
また、図１（Ａ）に示されるように、吸引パイプ５４の下端部には、吸引パイプ５４の径方向外側において、「カバー」としてのパイプカバー６０が設けられている。このパイプカバー６０は、略楕円筒形状に形成されると共に、吸引パイプ５４の径方向外側に吸引パイプ５４の長手方向をその軸方向として配置されている。そして、パイプカバー６０の下端部が開口部６２とされて、開口部６２から吸引パイプ５４の吸引口５４Ａが露出されている。
【００５７】
また、パイプカバー６０における側壁６４の横断面の内径が、側壁６４の軸方向中間部から下側へ向かうに従い大きく設定されている。これにより、パイプカバー６０の横断面積が、側壁６４の軸方向中間部から下側（開口部６２側）へ向かうに従い大きく設定されている。
【００５８】
そして、パイプカバー６０の側壁６４には、「連結機構」としての一対の位置調整ネジ６６が螺合されている。この一対の位置調整ネジ６６は、パイプカバー６０の長手方向に沿って配置されると共に、吸引パイプ５４の周方向に各連結棒５５と等間隔になるように配置されている（図１（Ｂ）参照）。そして、位置調整ネジ６６の先端が吸引パイプ５４の側面に当接されることで、連結棒５５の先端がパイプカバー６０の内周面に当接されて、パイプカバー６０が吸引パイプ５４に取付けられている。また、位置調整ネジ６６の先端を吸引パイプ５４の側面から離間させることで、パイプカバー６０が吸引パイプ５４に対してその軸方向に沿って相対移動できるように構成されている。
【００５９】
図４に示されるように、集塵機６８は、キャビネット１２の後側部分に設けられている。この集塵機６８は、「循環経路部」としての複数（本実施の形態では５つ）の集塵機ロフ７０と、キャビネット１２の収容部２４に収容された集塵機ファン７２と、集塵機ファン７２から上側へ延びる排気ダクト７４と、を含んで構成されている。
【００６０】
集塵機ロフ７０は、キャビネット１２の後側部分に上下方向に沿って設けられると共に、キャビネット１２の幅方向に並んで配置されている。この集塵機ロフ７０の上端は、集塵機ファン７２に結合されている。また、エプロン室１４内には、集塵機ロフ７０の前側の位置において、集塵機エアー室吸引口７５（図７参照）が設けられている。そして、エプロン室１４内のエアー（空気）と投射材よりも小さな微粉（異物）とが集塵機エアー室吸引口７５から集塵機ロフ７０の下側へ供給されるようになっている。さらに、集塵機ロフ７０の下側へ供給された空気及び微粉は、集塵機ロフ７０によって空気と微粉とに分離されて、ろ過された空気が集塵機ロフ７０、集塵機ファン７２、及び排気ダクト７４を介してキャビネット１２外へ排気されるようになっている。
【００６１】
図７及び図８に示されるように、帯電防止装置７６は、帯電防止液用タンク７８と、帯電防止液用ポンプ８０と、「配管」としての帯電防止液用配管８２と、「ノズル」としての帯電防止液用ノズル８４（図７参照）と、を含んで構成されている。
【００６２】
帯電防止液用タンク７８は、キャビネット１２の下部における後側に配置されており、この帯電防止液用タンク７８内には、帯電防止液が貯水されている。この帯電防止液としては、例えば、水や水に界面活性剤が添加された液体等が用いられるようになっている。
【００６３】
帯電防止液用配管８２は、帯電防止液用タンク７８に接続されて、帯電防止液用タンク７８から吸引パイプ５４の上部まで延びている。そして、帯電防止液用配管８２の上端に、帯電防止液用ノズル８４が結合されており、帯電防止液用ノズル８４は吸引パイプ５４の上部に連結されている。
【００６４】
帯電防止液用ポンプ８０は、帯電防止液用配管８２の長手方向中間部に設けられており、帯電防止液用ポンプ８０によって帯電防止液用タンク７８内の帯電防止液が帯電防止液用ノズル８４に供給されて、帯電防止液が帯電防止液用ノズル８４から吸引パイプ５４内の投射材に噴霧されるようになっている。
【００６５】
図２に示されるように、制御部８６は、キャビネット１２の前壁の上部に設けられている。この制御部８６は、前述したエプロン駆動モータ４０、投射駆動モータ５２、集塵機ファン７２、及び帯電防止液用ポンプ８０に電気的に接続されている。また、制御部８６は、操作盤８８を備えており、操作盤８８に設けられた操作ボタン９０が操作されることで、エプロン駆動モータ４０、投射駆動モータ５２、集塵機ファン７２、及び帯電防止液用ポンプ８０が駆動制御されるように構成されている。
【００６６】
次に、本実施の形態の作用及び効果について説明する。
【００６７】
上記のように構成されたショットブラスト装置１０では、ワーク搬入出扉２０が開けられて、キャビネット１２の開口部１８からエプロン室１４内へ被処理対象物（ワーク）を搬入して、当該被処理対象物（ワーク）をエプロン２６の撹拌部４４上に配置させる。そして、ワーク搬入出扉２０を閉じて、操作盤８８の操作ボタン９０が操作されることで、エプロン駆動モータ４０が駆動されて、エプロンベルト３６が正転方向へ回転される。これにより、エプロン２６の撹拌部４４上に配置された被処理対象物（ワーク）が撹拌される。そして、投射装置４６によって、撹拌部４４上の被処理対象物（ワーク）へ向けて投射材が投射されることで、被処理対象物の表面の加工が成される。
【００６８】
また、被処理対象物（ワーク）へ向けて投射された投射材は、エプロンベルト３６の挿通孔３６Ａ内を挿通されて、振動式傾斜篩２２を介してホッパ部１６に落下される。そして、ホッパ部１６に落下された投射材は、吸引パイプ５４の吸引口５４Ａから吸引されて羽根室５０へ供給される。この際には、帯電防止液用ポンプ８０によって帯電防止液用タンク７８内の帯電防止液が帯電防止液用ノズル８４に供給されて、帯電防止液が帯電防止液用ノズル８４から吸引パイプ５４内の投射材に噴霧される。
【００６９】
ここで、吸引パイプ５４の下端部には、パイプカバー６０が設けられている。また、パイプカバー６０は、吸引パイプ５４と同軸上に配置されており、パイプカバー６０の内側に吸引パイプ５４が配置されている。このため、吸引パイプ５４の下端部に落下した投射材がパイプカバー６０の外周面に当たることで、投射材がパイプカバー６０の外側へ落下される。これにより、吸引口５４Ａの周囲に投射材が溜まることが抑制されるため、吸引口５４Ａが投射材によって塞がれることを抑制できる。したがって、投射材を吸引する吸引パイプ５４の吸引効率の低下が抑制されて、ホッパ部１６に落下された投射材を効率よく吸引できる。
【００７０】
また、吸引パイプ５４の断面積が吸引口５４Ａへ向かうに従い大きく設定されている。これにより、吸引口５４Ａにおける断面積を大きくでき、吸引パイプ５４の吸引力を大きくできる。また、パイプカバー６０の断面積がパイプカバー６０の開口部６２側へ向かうに従い大きく設定されている。これにより、吸引パイプ５４の断面積が吸引口５４Ａへ向かうに従い大きく設定されても、吸引口５４Ａとパイプカバー６０との間の距離が確保されて、吸引口５４Ａの周囲における投射材の溜まりの抑制効果を維持できる。以上により、吸引パイプ５４の吸引力を大きくしつつ、吸引口５４Ａの周囲における投射材の溜まりの抑制効果を維持できる。
【００７１】
さらに、パイプカバー６０が、位置調整ネジ６６によって、吸引パイプ５４に連結されると共に、吸引パイプ５４の長手方向に沿って移動可能にされている。これにより、ホッパ部１６における投射材の溜まり方に応じて吸引パイプ５４に対するパイプカバー６０の位置を調整できる。したがって、ホッパ部１６に落下された投射材を一層効率よく吸引できる。
【００７２】
また、吸引パイプ５４が、キャビネット１２の内部に設けられると共に、側面視で上側へ向かうに従い後側へ傾斜して配置されている。これにより、例えば、吸引パイプ５４をキャビネット１２の外側に配置する場合に比して、吸引パイプ５４のパイプ長を短く設定できる。
【００７３】
さらに、吸引パイプ５４の下端部が投射装置４６の真下に配置されている。このため、ホッパ部１６において、投射装置４６から投射された投射材を主に吸引パイプ５４の下端部の周囲に落下させることができる。これにより、吸引パイプ５４の吸引効率を一層高くできる。また、吸引パイプ５４の上端部が投射装置４６側へ向けて屈曲（湾曲）されているため、吸引パイプ５４のパイプ長を短く設定できる。
【００７４】
また、集塵機６８の集塵機ロフ７０は、キャビネット１２の後側部分に５つ設けられると共に、キャビネット１２の幅方向に並んで配置されている。このため、集塵機ロフ７０のキャビネット１２からの突出が抑制されるため、ショットブラスト装置１０の見栄えを向上できる。
【００７５】
さらに、吸引パイプ５４によって投射材が循環される際には、帯電防止液用ポンプ８０によって帯電防止液用タンク７８内の帯電防止液が帯電防止液用ノズル８４に供給されて、帯電防止液が帯電防止液用ノズル８４から吸引パイプ５４内の投射材に噴霧される。これにより、樹脂製の投射材の帯電が抑制される。このため、吸引パイプ５４内の投射材を良好に循環させることができる。
【００７６】
また、吸引パイプ５４の上部がキャビネット１２の後壁に隣接して配置されており、この上部に帯電防止装置７６の帯電防止液用ノズル８４が連結されている。これにより、帯電防止装置７６における帯電防止液用配管８２の長さを短く設定できる。
【００７７】
さらに、キャビネット１２の上部に、制御部８６、エプロン駆動モータ４０、及び投射駆動モータ５２が配置されている。これにより、例えば、エプロン駆動モータ４０及び投射駆動モータ５２がキャビネット１２の側面から突出されることが抑制されるため、ショットブラスト装置１０の見栄えを一層向上できる。
【００７８】
なお、第１の実施の形態では、帯電防止液用ノズル８４から帯電防止液が噴霧されるように構成されている。これに替えて、図９及び図１０に示されるように、帯電防止液用ノズル８４を２流体ノズルとして構成して、空気と帯電防止液とを混合して帯電防止液用ノズル８４から噴射させてもよい。これにより、投射材と帯電防止液とが良好に混ざり合うため、投射材における帯電防止効果を一層高くすることができる。なお、図９では、帯電防止液用タンク７８が図示省略されている。
【００７９】
（第２の実施の形態）
【００８０】
第２の実施の形態におけるショットブラスト装置１００は、第１の実施の形態におけるショットブラスト装置１０と同様に構成されているが、以下の点において異なる。
【００８１】
すなわち、図１１に示されるように、ショットブラスト装置１００では、集塵機６８における排気ダクト７４が省略されており、集塵機ロフ７０の上端部が、集塵機ファン７２に連結されたファンケース１０２に連通されている。これにより、集塵機ロフ７０とエプロン室１４との間に循環経路（図１１の矢印Ｃ参照）が形成される。
【００８２】
そして、エプロン室１４内の空気（エアー）が集塵機エアー室吸引口７５から集塵機ロフ７０側へ吸引されて、当該空気に含まれる投射材以外の異物等が集塵機ロフ７０によって分離除去される。さらに、集塵機ロフ７０によって、異物が除去された空気がエプロン室１４へ供給される。
【００８３】
このため、外気をエプロン室１４内へ導入しないで、エプロン室１４内の空気をろ過して再度エプロン室１４内へ供給できる。これにより、ショットブラスト装置１００をシンプルな構成にできる。すなわち、仮に外気をエプロン室１４内へ導入する場合には、集塵機ロフ７０内の空気をキャビネット１２外で排出するための排気ダクト７４等が必要になるが、上述したように外気をエプロン室１４内へ導入しない構成によって、これら排気ダクト７４等を設ける必要がなくなる。以上により、第２の実施の形態では、第１の実施の形態と同様の作用及び効果を奏すると共に、ショットブラスト装置１００をシンプルな構成にできる。
【００８４】
なお、第１の実施の形態及び第２の実施の形態では、パイプカバー６０の断面積が軸方向中間部から開口部６２へ向かうに従い大きく設定されている。これに替えて、パイプカバー６０の断面積を上端部から開口部６２へ向かうに従い大きく設定してもよい。その場合でも、ホッパ部に落下された投射材を効率よく吸引できる。
【００８５】
また、第１の実施の形態及び第２の実施の形態では、吸引パイプ５４の下端部における断面積が吸引口５４Ａへ向かうに従い大きく設定されている。これに替えて、吸引パイプ５４の下端部における端面積を一定に設定してもよい。その場合でも、ホッパ部に落下された投射材を効率よく吸引できる。
【００８６】
さらに、第１の実施の形態及び第２の実施の形態では、位置調整ネジ６６によって、パイプカバー６０が吸引パイプ５４の長手方向に沿って移動可能に吸引パイプ５４に連結されている。これに替えて、パイプカバー６０を吸引パイプ５４に移動不能に固定させてもよい。その場合でも、ホッパ部に落下された投射材を効率よく吸引できる。
【００８７】
また、第１の実施の形態及び第２の実施の形態では、パイプカバー６０は略楕円筒形状に形成されているが、パイプカバー６０の形状はこれに限らない。例えば、パイプカバー６０を円筒形状に形成してもよいし、多角形の筒状に形成してもよい。
【００８８】
さらに、第１の実施の形態及び第２の実施の形態では、被処理対象物がエプロン２６によって攪拌されて、投射材が被処理対象物に投射される。これに替えて、例えば、被処理対象物を回転テーブルに配置して、回転テーブルを回転させた状態で、投射材を被処理対象物に投射させてもよい。
【符号の説明】
【００８９】
１０    ショットブラスト装置（ショット処理装置）
１２    キャビネット
１４    エプロン室（投射室）
１６    ホッパ部
２６    エプロン
３６    エプロンベルト（攪拌ベルト）
４０    エプロン駆動モータ（ベルト駆動部）
４６    投射装置
４８    インペラ
５２    投射駆動モータ（インペラ駆動部）
５４    吸引パイプ（パイプ）
５４Ａ  吸引口
６０    パイプカバー（カバー）
６６    位置調整ネジ（連結機構）
６８    集塵機
７０    集塵機ロフ（循環経路部）
７６    帯電防止装置
７８    帯電防止液用タンク（タンク）
８０    帯電防止液用ポンプ（ポンプ）
８２    帯電防止液用配管（配管）
８４    帯電防止液用ノズル（ノズル）
８６    制御部
【図１】
2014027575.tif 000003
【図２】
2014027575.tif 000004
【図３】
2014027575.tif 000005
【図４】
2014027575.tif 000006
【図５】
2014027575.tif 000007
【図６】
2014027575.tif 000008
【図７】
2014027575.tif 000009
【図８】
2014027575.tif 000010
【図９】
2014027575.tif 000011
【図１０】
2014027575.tif 000012
【図１１】
2014027575.tif 000013
【国際調査報告】
2014027575.tif 000014
2014027575.tif 000015
2014027575.tif 000016
2014027575.tif 000017